(57)【要約】  【課題】パイプを段違いにならないように連結できるパイプ組立体用クランプ装置を提供する。  【解決手段】第１の仮設足場パイプ用クランプ装置１を２つの連結クランプ３を固定して一体化することにより構成する。それぞれの連結クランプ３を、ベースクランプ片７と、このベースクランプ片７の基端部１１にヒンジピン１３によって基端部１５が揺動可能に連結された揺動クランプ片１７と、ベースクランプ片７の先端部１９にヒンジピン２１によって後端部２３が回転可能に接続され、先端側に形成された雄ネジ２５に締め付け用ナット２７がネジ付けられた閉塞用ボルト２９と、から構成する。２つの連結クランプ３は、軸心Ｌが直交するようにＬ形金具３３を用いて固定され連結されている。【選択図】図１Ａ
0003180084.tif 000002
【実用新案登録請求の範囲】
【請求項１】
パイプの外周に嵌められてこのパイプを締め付ける連結クランプを複数個一体化し、複数のパイプを連結固定してパイプ組立体を構成するパイプ組立体用クランプ装置であって、
それぞれの前記連結クランプは、一対のクランプ片の基部をヒンジ連結し、このクランプ片の開口側を締め付け手段で締め付けることができるように構成され、かつ、それぞれの前記一対のクランプ片の軸心が直交するように設けられている、ことを特徴とするパイプ組立体用クランプ装置。
【請求項２】
足場パイプの外周に嵌められてこの足場パイプを締め付ける連結クランプを複数個一体化し、複数の足場パイプを連結固定して仮設足場を構成する仮設足場パイプ用クランプ装置であって、
それぞれの前記連結クランプは、一対のクランプ片の基部をヒンジ連結し、このクランプ片の開口側を締め付け手段で締め付けることができるように構成され、かつ、それぞれの前記一対のクランプ片の軸心が直交するように設けられている、ことを特徴とする仮設足場パイプ用クランプ装置。
【請求項３】
前記複数の連結クランプは固定状態で一体化されている、ことを特徴とする請求項２記載の仮設足場パイプ用クランプ装置。
【請求項４】
前記複数の連結クランプは動くことができるように一体化されている、ことを特徴とする請求項２記載の仮設足場パイプ用クランプ装置。
【請求項５】
前記複数の連結クランプはＬ形金具を用いて連結され一体化されていて、前記Ｌ形金具は折れ曲がり部がヒンジ連結されている、ことを特徴とする請求項２記載の仮設足場パイプ用クランプ装置。
【請求項６】
前記複数の連結クランプは前記軸心と直交する軸を中心に回転できるように一体化されている、ことを特徴とする請求項２記載の仮設足場パイプ用クランプ装置。
【考案の詳細な説明】
【技術分野】
【０００１】
本考案は、建築工事等に際して設置し、必要な建築工事等の終了とともに撤去する仮設足場などのパイプ組立体に関し、より具体的にはこのような仮設足場を設けるために使用する足場パイプなどのパイプの連結用のクランプ装置に関する。
【背景技術】
【０００２】
建築工事の際に利用する仮設足場は、金属製の足場パイプ同士を金属製のクランプ装置で連結固定しながら設置する。このようなクランプ装置としては、例えば特許文献１に記載されているように、足場パイプの外周に嵌められてこの足場パイプを締め付ける連結クランプを複数個（具体的には２つ）一体化したものが用いられていて、それぞれの連結クランプは、一対のクランプ片の基部をヒンジ連結し、クランプ片の開口側をボルト及びナットで締め付けることができるように構成されている。このクランプ装置では、一対のクランプ片を開いた状態として足場パイプの外周に嵌めてから閉じた状態とし、クランプ片の開口側をボルト及びナットで締め付けて足場パイプを固定する。そうすると、連結クランプの数に対応した足場パイプが互いに連結されることとなる。
【先行技術文献】
【特許文献】
【０００３】
【特許文献１】特開２００６−２１４０７９号公報
【考案の概要】
【考案が解決しようとする課題】
【０００４】
しかしながら、特許文献１に記載されたようなクランプ装置では、連結個所で足場パイプがずれて組み合わされることとなる。具体的には、クランプ装置によって２本の足場パイプが十字状に組み合わされることとなる。したがって、連結した足場パイプが段違いのものとなり、足場の構成に不便であるし、足場パイプの端部を固定している個所では足場パイプの端が露出していて危険である。
【０００５】
そこで本考案は、足場パイプなどのパイプを段違いにならないように連結できる仮設足場パイプ用クランプ装置などのパイプ組立体用クランプ装置を提供することを目的とする。
【課題を解決するための手段】
【０００６】
この目的を達成するための本考案のパイプ組立体用クランプ装置は、パイプの外周に嵌められてこのパイプを締め付ける連結クランプを複数個一体化し、複数のパイプを連結固定してパイプ組立体を構成するパイプ組立体用クランプ装置であって、それぞれの前記連結クランプは、一対のクランプ片の基部をヒンジ連結し、このクランプ片の開口側を締め付け手段で締め付けることができるように例えば環状に構成され、かつ、それぞれの前記一対のクランプ片の軸心が直交するように設けられているものである。また、パイプ組立体には、仮設足場の他に、間仕切りやパーティションなどの家具が含まれる。また、この目的を達成するための本考案の仮設足場パイプ用クランプ装置は、足場パイプの外周に嵌められてこの足場パイプを締め付ける連結クランプを複数個一体化し、複数の足場パイプを連結固定して仮設足場を構成する仮設足場パイプ用クランプ装置であって、それぞれの前記連結クランプは、一対のクランプ片の基部をヒンジ連結し、このクランプ片の開口側を締め付け手段で締め付けることができるように例えば環状に構成され、かつ、それぞれの前記一対のクランプ片の軸心が直交するように設けられているものである。一対のクランプ片の軸心とはクランプ片を閉じたときの軸心又は一対のクランプ片でパイプ又は足場パイプを締め付けたときのパイプ又は足場パイプの軸心である。ここでは、それぞれの連結クランプに固定されたパイプ又は足場パイプは軸心が直交する状態で連結されることとなる。
【０００７】
本考案では、複数の連結クランプを固定状態で一体化することができる。あるいは、複数の連結クランプを動くことができるように、例えば互いに揺動できるように一体化することができる。複数の連結クランプを動くことができるように一体化する場合には、少なくとも連結クランプの特定の状態で、それぞれの一対のクランプ片の軸心が直交するように構成されている必要がある。例えば、複数の連結クランプをＬ形金具を用いて連結して一体化し、このＬ形金具を折れ曲がり部でヒンジ連結されたものとしておくことができる。また、複数の連結クランプを軸心と直交する軸を中心に回転できるように一体化しておくこともできる。
【考案の効果】
【０００８】
本考案のパイプ組立体用クランプ装置又は仮設足場パイプ用クランプ装置を用いれば、パイプ又は足場パイプを段差が生じないように連結できるので、パイプ組立体又は仮設足場を安全に、かつ、安定して構成できる。
【図面の簡単な説明】
【０００９】
【図１Ａ】本考案に係る第１の仮設足場パイプ用クランプ装置の斜視図である。
【図１Ｂ】図１ＡのＬ型金具の変更例を示す図である。
【図２】第１の仮設足場パイプ用クランプ装置を用いて構成した仮設足場を示す図である。
【図３】本考案に係る第２の仮設足場パイプ用クランプ装置の斜視図である。
【図４Ａ】第２の仮設足場パイプ用クランプ装置を用いて構成した仮設足場を示す図である。
【図４Ｂ】第２の仮設足場パイプ用クランプ装置を用いて構成した別の仮設足場を示す図である。
【図５】本考案に係る第３の仮設足場パイプ用クランプ装置の斜視図である。
【図６】第３の仮設足場パイプ用クランプ装置を用いて構成した仮設足場を示す図である。
【図７】本考案に係る第４の仮設足場パイプ用クランプ装置の斜視図である。
【図８】第４の仮設足場パイプ用クランプ装置を用いて構成した仮設足場を示す図である。
【図９】本考案に係る第５の仮設足場パイプ用クランプ装置の斜視図である。
【図１０】第５の仮設足場パイプ用クランプ装置を用いて構成した仮設足場を示す図である。
【図１１】第４の仮設足場パイプ用クランプ装置と第５の仮設足場パイプ用クランプ装置を用いて構成した仮設足場を示す図である。
【図１２】第１の仮設足場パイプ用クランプ装置１を用いて構成した別の仮設足場を示す図である。
【考案を実施するための形態】
【００１０】
以下、図面を参照して本考案の実施の形態を説明する。
【００１１】
図１Ａは本考案に係る第１の仮設足場パイプ用クランプ装置の斜視図、図２は第１の仮設足場パイプ用クランプ装置を用いて構成した仮設足場を示す図である。
【００１２】
第１の仮設足場パイプ用クランプ装置１は、２つの連結クランプ３を固定して一体化することにより構成されている。それぞれの連結クランプ３は、幅方向両端部に内側に突出する固定壁５を有する、屈曲したベースクランプ片７と、このベースクランプ片７の基端部１１にヒンジピン１３によって基端部１５が揺動可能に連結された、湾曲する揺動クランプ片１７と、ベースクランプ片７の先端部１９にヒンジピン２１によって後端部２３が回転可能に接続され、先端側に形成された雄ネジ２５に締め付け用ナット２７がネジ付けられた閉塞用ボルト２９と、を備え、揺動クランプ片１７の先端部には閉塞用ボルト２９の先端側を収容する収容溝３１が形成されていて、ベースクランプ片７の固定壁５の内周及び揺動クランプ片１７の内面は足場パイプの外周に対応して円弧状に湾曲している。
【００１３】
連結クランプ３同士はＬ形金具３３を用いて固定され連結されている。Ｌ形金具３３の一方の固定片３５は、一方の連結クランプ３のベースクランプ片７の先端側外面に、幅方向に延びた状態で固定され、Ｌ形金具３３の他方の固定片３７は、他方の連結クランプ３のベースクランプ片７の先端側外面に、幅方向に延びた状態で固定されている。したがって、それぞれの連結クランプ３は軸心Ｌが直交するように配置されている。なお、図１Ｂに示すように、Ｌ形金具３３に補強部３８を設けた三角形状の金具を用いてもよい。
【００１４】
第１の仮設足場パイプ用クランプ装置１を用いて仮設足場を構成するには、それぞれの連結クランプ３で足場パイプ３９を固定する。足場パイプ３９の固定は、例えば、揺動クランプ片１７を開いておき、ベースクランプ片７の固定壁５内に足場パイプ３９を収めてから揺動クランプ片１７を閉じ、閉塞用ボルト２９を揺動させて閉塞用ボルト２９の先端側を、締め付け用ナット２７が外側に位置する状態で、揺動クランプ片１７の収容溝３１内に収め、締め付け用ナット２７を回転させて収容溝３１の周囲の外側面に押し付け、揺動クランプ片１７をベースクランプ片７に締め付ける。そうすると、一方の足場パイプ３９の一端が他方の足場パイプ３９の外周面に当接又は接近した状態で足場パイプ３９同士が連結固定されることとなる。なお、連結クランプ３は円形状の又はほぼ円形状の環状体として形成されているが、例えば４角形状の環状体として形成されてもよい。
【００１５】
図３は本考案に係る第２の仮設足場パイプ用クランプ装置の斜視図、図４Ａは第２の仮設足場パイプ用クランプ装置を用いて構成した仮設足場を示す図、図４Ｂは第２の仮設足場パイプ用クランプ装置を用いて構成した別の仮設足場を示す図である。
である。
【００１６】
第２の仮設足場パイプ用クランプ装置４１は第１の仮設足場パイプ用クランプ装置１のＬ形金具３３の構成を変更したものであり、第２の仮設足場パイプ用クランプ装置４１では、Ｌ形金具３３の一方の固定片３５と他方の固定片３７とがヒンジ連結され、Ｌ形金具３３を折り畳んだり延ばしたりできるように構成されている。したがって、第２の仮設足場パイプ用クランプ装置４１を用いれば、第１の仮設足場パイプ用クランプ装置１と同様に、Ｌ形金具３３が直角に折れ曲がった状態で足場パイプ３９を連結することもできるし、足場パイプ３９を直線状に連結することもできる（図４Ａ）。あるいは、足場パイプ３９を平行状態で連結することも可能である（図４Ｂ）。
【００１７】
図５は本考案に係る第３の仮設足場パイプ用クランプ装置の斜視図、図６は第３の仮設足場パイプ用クランプ装置を用いて構成した仮設足場を示す図である。
【００１８】
第３の仮設足場パイプ用クランプ装置４３は第１の仮設足場パイプ用クランプ装置１の構成を変更したものであり、第３の仮設足場パイプ用クランプ装置４３では、ベースクランプ片７がそれぞれ、Ｌ形金具３３の一方の固定片３５及び他方の固定片３７に軸ピン４５により回転可能に連結されている。したがって、第３の仮設足場パイプ用クランプ装置４３を用いれば、第１の仮設足場パイプ用クランプ装置１と同様に、足場パイプ３９を直交する状態で連結することもできるし、図６に示すように、足場パイプ３９をずれた状態で連結することもできる。
【００１９】
図７は本考案に係る第４の仮設足場パイプ用クランプ装置の斜視図、図８は第４の仮設足場パイプ用クランプ装置を用いて構成した仮設足場を示す図である。
【００２０】
第４の仮設足場パイプ用クランプ装置４７は、３つの連結クランプ３を固定して一体化することにより構成されている。
【００２１】
３つの連結クランプ３の内の第１連結クランプ４９には、第２用Ｌ形金具３３を用いて３つの連結クランプ３の内の第２連結クランプ５１が固定され、また、第３用Ｌ形金具３３を用いて３つの連結クランプ３の内の第３連結クランプ５３が固定されている。第２用Ｌ形金具３３の一方の固定片３５の先端部は、第１連結クランプ４９のベースクランプ片７の先端側外面に固定され、この第２用Ｌ形金具３３の他方の固定片３７は、第２連結クランプ５１のベースクランプ片７の先端側外面に固定されている。また、第３用Ｌ形金具３３の一方の固定片３５の先端部は、第１連結クランプ４９のベースクランプ片７の後端側外面に固定され、この第３用Ｌ形金具３３の他方の固定片３７は、第３連結クランプ５３のベースクランプ片７の先端側外面に固定されている。したがって、第２連結クランプ５１と第３連結クランプ５３は、第１連結クランプ４９の軸心の周りで９０度ずれて位置し、それぞれの軸心が第１連結クランプ４９の軸心と直交するように配置されている。また、第２連結クランプ５１と第３連結クランプ５３は、第１連結クランプ４９の軸心方向で同じ位置（同じ高さ）となるように配置されているが、第１連結クランプ４９とはこの第１連結クランプ４９の軸心方向で位置（高さ）が異なるように配置されている。
【００２２】
第４の仮設足場パイプ用クランプ装置４７を用いて仮設足場を構成するには、第１、第２及び第３連結クランプ４９、５１、５３でそれぞれ、足場パイプ３９を固定する。ここでは例えば、図８に示すように、第１連結クランプ４９で垂直方向に延びる足場パイプ３９を固定し、第２及び第３連結クランプ５１、５３でそれぞれ、水平方向に延びる足場パイプ３９を固定する。そうすると、水平方向に延びるそれぞれの足場パイプ３９の端部が垂直方向に延びる足場パイプ３９の外周面に当接又は接近した状態で足場パイプ３９同士が連結固定されることとなる。
【００２３】
図９は本考案に係る第５の仮設足場パイプ用クランプ装置の斜視図、図１０は第５の仮設足場パイプ用クランプ装置を用いて構成した仮設足場を示す図である。
【００２４】
第５の仮設足場パイプ用クランプ装置５５は、３つの連結クランプ３を固定して一体化することにより構成されている。
【００２５】
３つの連結クランプ３の内の第１連結クランプ５７には、フラットな第２用取付金具５９を用いて３つの連結クランプ３の内の第２連結クランプ６１が固定され、また、フラットな第３用取付金具６３を用いて３つの連結クランプ３の内の第３連結クランプ６５が固定されている。第２用取付金具５９の一端部は、第１連結クランプ５７のベースクランプ片７の先端側固定壁５の外面に固定され、この第２用取付金具５９の他端部は、第２連結クランプ６１のベースクランプ片７の先端側の外面に固定されている。また、第３用取付金具６３の一端部は、第１連結クランプ５７のベースクランプ片７の後端側固定壁５の外面に固定され、この第３用取付金具６３の他端部は、第３連結クランプ６５のベースクランプ片７の先端側の外面に固定されている。したがって、第２連結クランプ５９と第３連結クランプ６５は、第１連結クランプ５７の軸心の周りで９０度ずれ、かつ、第１連結クランプ５７と第１連結クランプ５７の軸心方向で同じ位置（同じ高さ）に配置され、それぞれの軸心が第１連結クランプ５７の軸心と直交するように設けられている。なお、第１連結クランプ５７、第２連結クランプ６１及び第３連結クランプ６５を、補強のために、Ｌ形金具３３を用いて互いに連結してもよい（仮想線参照）。
【００２６】
第５の仮設足場パイプ用クランプ装置５５を用いて仮設足場を構成するには、第１、第２及び第３連結クランプ５７、６１、６５でそれぞれ、足場パイプ３９を固定する。ここでは例えば、図１０に示すように、第１連結クランプ５７で垂直方向に延びる足場パイプ３９を固定し、第２及び第３連結クランプ６１、６５でそれぞれ、水平方向に延びる足場パイプ３９を固定する。そうすると、水平方向に延びるそれぞれの足場パイプ３９の端部が垂直方向に延びる足場パイプ３９の外周面に当接又は接近した状態で足場パイプ３９同士が連結固定されることとなる。
【００２７】
なお、図１１に示すように、第４の仮設足場パイプ用クランプ装置４７の第１連結クランプ４９を垂直方向に延びる足場パイプ３９に固定するとともに、第５の仮設足場パイプ用クランプ装置５５の第１連結クランプ５７をこの垂直方向に延びる足場パイプ３９に固定することにより（例えば、第１連結クランプ４９よりも高く、第２及び第３連結クランプ５１、５３と同じ高さに固定する）、垂直方向に延びる足場パイプ３９を中心に、４本の水平方向に延びる足場パイプ３９を同じ高さで放射状の連結することができる。
【００２８】
また、第４の仮設足場パイプ用クランプ装置４７や第５の仮設足場パイプ用クランプ装置５５のそれぞれの連結クランプ５１、５３、６１、６５を第３の仮設足場パイプ用クランプ装置４３の連結クランプ３と同様に、L形金具３３、第２用取付金具５９、第３用取付金具６３に軸ピン４５により回転可能に連結してもよい。
【００２９】
図１２は第１の仮設足場パイプ用クランプ装置１を用いて構成した別の仮設足場を示す図である。
【００３０】
別の仮設足場６７は、第１の仮設足場パイプ用クランプ装置１を用いてＨ形体６９を構成し、このＨ形体６９、６９間を筋交７１で連結したものであり、Ｈ形体６９の横パイプ７３間に足場プレート７５が設けられる。この仮設足場６７では、足場プレート７５よりもＨ形体６９の縦パイプ７７が上方に延びているので、縦パイプ７７の上部につかまることで安全に作業を行うことができる。なお、この仮設足場６７では、Ｈ形体６９を上方に延びるように積み重ねて連結することにより所定の高さを確保できる（仮想線参照）。
【産業上の利用可能性】
【００３１】
本考案のパイプ組立体用クランプ装置は、例えば、マンションなどの建設工事に使用する仮設足場を安全にかつ安定して設置するのに利用することができるし、例えば、間仕切りやパーティションなどの家具を分解可能に簡単に組み立てるのに利用することができる。
【符号の説明】
【００３２】
１                    第１の仮設足場パイプ用クランプ装置
３                    連結クランプ
２７                  締め付け用ナット
２９                  閉塞用ボルト
３９                  足場パイプ
４１                  第２の仮設足場パイプ用クランプ装置
４３                  第３の仮設足場パイプ用クランプ装置
４７                  第４の仮設足場パイプ用クランプ装置
４９                  第１連結クランプ
５１                  第２連結クランプ
５３                  第３連結クランプ
５５                  第５の仮設足場パイプ用クランプ装置
５７                  第１連結クランプ
６１                  第２連結クランプ
６５                  第３連結クランプ
【図１Ａ】
0003180084.tif 000003
【図１Ｂ】
0003180084.tif 000004
【図２】
0003180084.tif 000005
【図３】
0003180084.tif 000006
【図４Ａ】
0003180084.tif 000007
【図４Ｂ】
0003180084.tif 000008
【図５】
0003180084.tif 000009
【図６】
0003180084.tif 000010
【図７】
0003180084.tif 000011
【図８】
0003180084.tif 000012
【図９】
0003180084.tif 000013
【図１０】
0003180084.tif 000014
【図１１】
0003180084.tif 000015
【図１２】
0003180084.tif 000016
【手続補正書】
【提出日】平成24年9月28日(2012.9.28)
【手続補正１】
【補正対象書類名】実用新案登録請求の範囲
【補正対象項目名】請求項６
【補正方法】変更
【補正の内容】
【請求項６】
前記複数の連結クランプの少なくとも一つは、自身の前記軸心と直交する軸を中心に回転できるように構成されている、ことを特徴とする請求項２記載の仮設足場パイプ用クランプ装置。